(57)【要約】【課題】十分な量の液体を保持することができる電子機器を提供する。【解決手段】電子機器１１の筐体１４は第１仮想平面３５に受け止められる。筐体１４は、その後端から前端に向かうにつれて第１仮想平面３５に近づく表面１７を規定する。筐体１４の表面にはキーボード２２が組み込まれる。キーボード２２は、第１仮想平面３５に平行な第２仮想平面３６内に規定される底面を規定する。その一方で、筐体１４にはキーボード２２の底面に向き合わせられる傾斜面４４が規定される。傾斜面４４は、筐体１４の後端から前端に向かうにつれて第２仮想平面３６から遠ざかる。こうした電子機器１１によれば、筐体１４の表面１７が傾斜面で規定される一方でキーボード２２の底面が第２仮想平面３６内に規定されることから、キーボード２２上で十分な量の液体が保持される。同時に、キーボード２２と傾斜面４４との間に十分な量の液体が保持される。【選択図】図３
2011034332.tif 000002
【特許請求の範囲】
【請求項１】
第１仮想平面に受け止められて、後端から前端に向かうにつれて前記第１仮想平面に近づく表面を規定する筐体と、
前記筐体の表面に組み込まれて、前記第１仮想平面に平行な第２仮想平面内に規定される底面を規定するキーボードと、
前記筐体に形成されて前記キーボードの底面に向き合わせられ、前記筐体の後端から前端に向かうにつれて前記第２仮想平面から遠ざかる傾斜面とを備えることを特徴とする電子機器。
【請求項２】
請求項１に記載の電子機器において、
前記キーボードは、
前記第２仮想平面内に底面を規定する底板と、
前記底板の輪郭に沿って前記底板の表面から直立する周壁と、
前記底板の表面に支持されるキーと、
前記底板に形成される排水口とを備えることを特徴とする電子機器。
【請求項３】
請求項１または２に記載の電子機器において、前記傾斜面に形成されて前記傾斜面から立ち上がり、前記キーボードの裏面を受け止めるリブを備えることを特徴とする電子機器。
【請求項４】
請求項１〜３のいずれか１項に記載の電子機器において、前記傾斜面の前端に接続されて、前記傾斜面から前記筐体の底面に延びる排水路を備えることを特徴とする電子機器。
【請求項５】
請求項１〜４のいずれか１項に記載の電子機器において、
所定の回転軸回りの相対回転に基づき表面で前記筐体の表面に重ね合わせられる閉じ状態を確立する第２の筐体と、
前記第２の筐体に組み込まれて、前記第２の筐体の表面に区画される開口に臨むディスプレイパネルとを備え、
前記閉じ状態の確立時に、前記開口内に区画される空間内に前記筐体の表面から突き出る前記キーボードが収容されることを特徴とする電子機器。
【請求項６】
請求項１〜５のいずれか１項に記載の電子機器において、前記傾斜面に形成されて、毛細管現象を確立する排水溝を備えることを特徴とする電子機器。
【発明の詳細な説明】
【技術分野】
【０００１】
本発明は、筐体と、筐体に組み込まれるキーボードとを備える電子機器に関する。
【背景技術】
【０００２】
例えばノートブックパーソナルコンピュータ（ノートパソコン）はキーボードを備える。キーボードは、本体筐体の表面に区画される開口内に組み込まれる。キーボードはトレイを備える。トレイは、キーを受け止める底板と、キーの支持板の輪郭で底板の表面から立ち上がる周壁とを備える。底板の特定の位置には排水口が形成される。トレイは、本体筐体に組み込まれる支持板に支持される。支持板には排水溝が形成される。排水溝には、底板に形成される排水口が接続される。こうして例えばキーボードに液体がこぼれた場合、周壁は液体を堰き止める。液体は排水口から筐体内の排水溝に流れる。排水溝の液体は例えば筐体の底面から排出される。
【先行技術文献】
【特許文献】
【０００３】
【特許文献１】特開平１１−３１２７６号公報
【特許文献２】実開昭６３−５０４１７号公報
【発明の概要】
【発明が解決しようとする課題】
【０００４】
ノートパソコンでは、本体筐体に水平軸回りで回転自在にディスプレイ用筐体が連結される。水平軸は、本体筐体の後端に沿って本体筐体の表面に平行に設定される。ノートパソコンの使用者は、本体筐体の前端に沿って規定されるパームレスト上に手のひらを配置してキーを叩く。本体筐体は、机の天板の表面に対して傾斜姿勢で天板上に配置される。操作性の向上にあたって、本体筐体の表面は後端から前端に向かって手前下がりに形成される。キーボードは本体筐体と同様に手前下がりに配置される。その結果、こぼれた液体は例えば手前側の周壁を越えて外側に簡単に溢れてしまう。例えばキーボード上では少量の液体しか保持されない。
【０００５】
本発明は、上記実状に鑑みてなされたもので、十分な量の液体を保持することができる電子機器を提供することを目的とする。
【課題を解決するための手段】
【０００６】
上記目的を達成するために、電子機器の一具体例は、第１仮想平面に受け止められて、後端から前端に向かうにつれて前記第１仮想平面に近づく表面を規定する筐体と、前記筐体の表面に組み込まれて、前記第１仮想平面に平行な第２仮想平面内に規定される底面を規定するキーボードと、前記筐体に形成されて前記キーボードの底面に向き合わせられ、前記筐体の後端から前端に向かうにつれて前記第２仮想平面から遠ざかる傾斜面とを備える。
【発明の効果】
【０００７】
以上のように開示の電子機器によれば、十分な量の液体を保持することができる。
【図面の簡単な説明】
【０００８】
【図１】本発明に係る電子機器の一具体例すなわちノートブックパーソナルコンピュータ（ノートパソコン）の外観を概略的に示す斜視図である。
【図２】閉じ状態のノートパソコンを概略的に示す斜視図である。
【図３】図１の３−３線に沿った断面図であり、本発明の第１実施形態に係るノートパソコンの構造を概略的に示す。
【図４】本発明の第１実施形態に係るノートパソコンの構造を概略的に示す分解斜視図である。
【図５】図３の５−５線に沿った断面図である。
【図６】図２の６−６線に沿った断面図である。
【図７】図４に対応し、本発明の第２実施形態に係るノートパソコンの構造を概略的に示す分解斜視図である。
【図８】図４に対応し、本発明の第３実施形態に係るノートパソコンの構造を概略的に示す分解斜視図である。
【図９】図８の９−９線に沿った断面図である。
【図１０】図９の拡大断面図である。
【図１１】本発明の一変形例に係るノートパソコンの構造を概略的に示す拡大断面図である。
【発明を実施するための形態】
【０００９】
以下、添付図面を参照しつつ本発明の一実施形態を説明する。
【００１０】
図１は本発明に係る電子機器の一具体例すなわちノートブックパーソナルコンピュータ（ノートパソコン）１１の外観を概略的に示す。このノートパソコン１１は、薄型の機器本体１２と、この機器本体１２に揺動自在に連結されるディスプレイ装置１３とを備える。機器本体１２は本体筐体１４を備える。ディスプレイ装置１３はディスプレイ用筐体１５を備える。ディスプレイ用筐体１５は水平軸１６回りで揺動自在に本体筐体１４に連結される。水平軸１６は、本体筐体１４の後端に沿って本体筐体１４の表側平坦面１７に平行に規定される。
【００１１】
本体筐体１４は例えば平たい直方体形状に形成される。本体筐体１４は、ベース１８と、ベース１８に着脱自在に結合される前方カバー１９と、同様にベース１８に着脱自在に結合される後方カバー２１とを備える。前方カバー１９は本体筐体１４の前端に沿って配置される。後方カバー２１は本体筐体１４の後端に沿って配置される。前方カバー１９および後方カバー２１で本体筐体１４の表側平坦面１７は規定される。前方カバー１９はいわゆるパームレストを構成する。ベース１８や前方カバー１９、後方カバー２１は例えばポリカーボネートといった強化樹脂材料から形成される。
【００１２】
本体筐体１４の収容空間には例えばマザーボードが組み込まれる。マザーボード上には例えばＣＰＵ（中央演算処理装置）やチップセット、メモリといった電子回路素子が搭載される。ＣＰＵは、例えばメモリに一時的に格納されるソフトウェアプログラムやデータに基づき様々な演算処理を実行する。ソフトウェアプログラムやデータは、同様に本体筐体１４内に収容されるハードディスク駆動装置（ＨＤＤ）といった大容量記憶装置に格納されればよい。
【００１３】
本体筐体１４の表面すなわち表側平坦面１７にはキーボード２２や入力ボタン２３、タッチパッド２４といった入力装置が組み込まれる。こういった入力装置２２〜２４の働きで、ノートパソコン１１のユーザはＣＰＵに向けて様々な指令やデータを入力することができる。キーボード２２は、前方カバー１９の内縁２５および後方カバー２１の内縁２６で区画される開口２７内に組み込まれる。キーボード２２は、開口２７の輪郭に沿って輪郭を規定する板状のトレイ２８を備える。トレイ２８にはトレイ２８の表面に沿って配列される複数のキー２９、２９…を備える。キー２９は、トレイ２８に対して上下方向に所定のストロークで変位するキートップを備える。
【００１４】
ディスプレイ用筐体１５は例えば平たい直方体形状に形成される。ディスプレイ用筐体１５には例えばＬＣＤ（液晶ディスプレイ）パネル３１といった平面ディスプレイパネルが組み込まれる。ＬＣＤパネル３１の表示画面は、ディスプレイ用筐体１５の表面すなわち表側平坦面３２に形成される矩形のディスプレイ用開口３３に臨む。ＬＣＤパネル３１の画面にはＣＰＵの処理動作に応じて様々なテキストやグラフィックスが表示される。ユーザはそういったテキストやグラフィックスに基づきノートパソコン１１の動作を確認することができる。
【００１５】
いま、水平軸１６回りの相対回転に基づきディスプレイ用筐体１５の表側平坦面３２が本体筐体１４の表側平坦面１７に重ね合わせられる場面を想定する。図１に示されるように、ディスプレイ用筐体１５は本体筐体１４の後端から所定の角度で立ち上がると、ノートパソコン１１では開き状態が確立される。図２に示されるように、ディスプレイ用筐体１５の表側平坦面３２が本体筐体１４の表側平坦面１７に重ね合わせられると、ディスプレイ用筐体１５の輪郭は本体筐体１４の輪郭に重なる。こうしてノートパソコン１１では閉じ状態が確立される。
【００１６】
図３は本発明の第１実施形態に係るノートパソコン１１の構造を概略的に示す。本体筐体１４のベース１８の底面には複数のゴム足３４が取り付けられる。ゴム足３４はベース１８の底面の例えば四隅に配置される。こうして本体筐体１４はゴム足３４で、例えば水平面に平行に規定される第１仮想平面３５に受け止められる。第１仮想平面３５は例えば机の表面で規定される。ゴム足３４の働きで、ベース１８の底面は机の表面に対して所定の隙間を形成する。ゴム足３４は例えば弾性樹脂材料から形成される。
【００１７】
本体筐体１４の前端側に配置されるゴム足３４の高さは、本体筐体１４の後端側に配置されるゴム足３４の高さより小さく設定される。その結果、本体筐体１４はその後端から前端に向かうにつれて第１仮想平面３５に近づく。本体筐体１４の表側平坦面１７は第１仮想平面３５に対して所定の傾斜角で交差する。こうして表側平坦面１７は、本体筐体１４の後端から前端に向かうにつれて第１仮想平面３５に近づく。なお、ベース１８の底面が第１仮想平面３５に平行に広がる場合、すべてのゴム足３４の高さが等しく設定されればよい。
【００１８】
その一方で、キーボード２２のトレイ２８は底板３７を備える。底板３７は、第１仮想平面３５に平行な第２仮想平面３６内に規定される底面を規定する。底面は平坦面で規定される。第２仮想平面３６は水平面に平行に規定される。底板３７は表面でキー２９を支持する。底板３７内には、例えばキー２９の接点を確立するフレキシブルプリント基板（ＦＰＣ、図示されず）が組み込まれる。底板３７には例えば複数の排水口３８が形成される。トレイ２８は、底板３７の表面の輪郭に沿って底板３７の表面から直立する周壁３９を備える。周壁３９は底板３７の表面の輪郭を全周にわたって取り囲む。
【００１９】
図３から明らかなように、底板３７の前端で本体筐体１４の左右方向に延びる前側の周壁３９の底板３７からの高さは、底板３７の後端で本体筐体１４の左右方向に延びる後側の周壁３９の底板３７からの高さより低く設定される。その一方で、底板３７の側端で本体筐体１４の前後方向に延びる周壁３９は底板３７の前端に向かうにつれて高さを減少させる。こうして周壁３９の頂上面は本体筐体１４の表側平坦面１７と同一の平面内に配置される。こうして、キーボード２２ではキー２９のキートップは、底板３７の前端側に配置されるにつれて表側平坦面１７を含む平面より上方に大きく突き出る。
【００２０】
図４を併せて参照し、前方カバー１９には輪郭で開口２７を形成する支持板４１が一体化される。支持板４１は、本体筐体１４の表側平坦面１７から一段低いレベルで広がる底板４２と、底板４２の輪郭に沿って底板４２の表面から直立する直立壁４３とを備える。直立壁４３はトレイ２８の底板３７の輪郭を途切れなく取り囲む。底板４２は、トレイ２８の底板３７に向き合う傾斜面４４を規定する。傾斜面４４は、本体筐体１４の表側平坦面１７に平行な仮想平面内に規定される。すなわち、傾斜面４４は、本体筐体１４の後端から前端に向かうにつれて第１仮想平面３５に近づく。こうして本体筐体１４の後端から前端に向かうにつれて底板３７および底板４２の隙間は増大する。
【００２１】
底板４２には、例えば本体筐体１４の前後方向に延びる複数筋のリブ４５が形成される。リブ４５は、第２仮想平面３６内に規定される頂上面でトレイ２８の底板３７を受け止める。後端から前端に向かうにつれてリブ４５の底板４２からの高さは増大する。リブ４５は本体筐体１４の左右方向に並列に配置される。図４から明らかなように、底板３７には第２仮想平面３６内で底板３７の輪郭から外側に突き出る複数の突片４６が形成される。前側の突片４６は、前方カバー１９の内縁２５に形成される窪み（図示されず）に差し込まれる。後側の突片４６には支持板４１の直立壁４３上で後方カバー２１が覆い被さる。こうして開口２７からキーボード２２に脱落は防止される。
【００２２】
図５を併せて参照し、支持板４１の前端には排水管４７が形成される。排水管４７は、ベース１８の底板に向かって下向きに延びる排水路４８を規定する。排水路４８の上端は傾斜面４４の前端に接続される。排水路４８の下端は、ベース１８の底板に形成される開口４９に受け入れられる。支持板４１の前端には、底板４２の前端で底板４２の両側端から排水路４８に向かって下がる１対の排水面５１が規定される。排水面５１は傾斜面４４の前端に接続される。排水面５１は、傾斜面４４から排水路４８に向かうにつれて第１仮想平面３５に近づく。同時に、排水面５１は底板４２の両側端から排水路４８に向かうにつれて第１仮想平面３５に近づく。
【００２３】
図６に示されるように、本体筐体１４の表側平坦面１７は、本体筐体１４の後端から前端に向かうにつれて第１仮想平面３５に近づく。その一方で、キーボード２２のトレイ２８は第２仮想平面３６内に底面を規定する。このとき、キーボード２２のキー２９はトレイ２８の表面に沿って配列される。その結果、最前列のキー２９のキートップは、前方カバー１９の内縁２５よりも第１仮想平面３５から遠い位置に配置される。最前列のキー２９のキートップの前端は、本体筐体１４の表側平坦面１７を含む仮想平面から上方に突き出す。すなわち、最前列のキー２９のキートップの前端と前方カバー１９との間には段差が形成される。
【００２４】
その一方で、ＬＣＤパネル３１の表面は、ディスプレイ用筐体１５の表側平坦面３２との間に段差を形成する。ノートパソコン１１が閉じ状態を確立すると、ディスプレイ用筐体１５の表側平坦面３２は本体筐体１４の表側平坦面１７に重ね合わせられる。このとき、トレイ２８の前端は、ディスプレイ用筐体１５のディスプレイ用開口３３内に形成される空間に収容される。こうしてＬＣＤパネル３１の表面と表側平坦面３２との間の段差は、キー２９のキートップの前端と前方カバー１９との間の段差を吸収する。その結果、トレイ２８とＬＣＤパネル３１との接触は回避される。しかも、例えば外力に基づきＬＣＤパネル３１が押し下げられてキートップと接触しても、キートップの上下移動に基づきＬＣＤパネル３１の破損は防止される。
【００２５】
いま、例えばキーボード２２上に液体がこぼれる場面を想定する。例えばユーザの作業中、キーボード２２に液体がこぼれると、周壁３９の堰き止めに基づき液体はトレイ２８内に一時的に溜まる。トレイ２８内の液体は底板３７に形成される排水口３８から本体筐体１４の支持板４１に向かって流れ落ちる。液体は、傾斜面４４の傾斜に基づきリブ４５に沿って支持板４１の前端に向かって導かれる。その後、液体は支持板４１の排水面５１の傾斜に基づき排水路４８に導かれる。その結果、液体は本体筐体１４の開口４９から机の表面に流れ出す。こうして液体はノートパソコン１１から外側に排出される。本体筐体１４内に組み込まれるマザーボード上で電子回路素子の破壊は回避される。
【００２６】
こうしたノートパソコン１１によれば、本体筐体１４の表側平坦面１７が傾斜面で規定される一方でキーボード２２の底面が第２仮想平面３６内に規定されることから、十分な量の液体がキーボード２２すなわちトレイ２８上で保持される。その一方で、例えばキーボード２２の底面が本体筐体１４の表側平坦面１７と同様に傾斜面で規定されると、トレイ２８の底板３７の表面は、後端から前端に向かって傾斜する傾斜面で規定される。その結果、キーボード２２上にこぼれた液体はトレイ２８の前端に向かって流れる。トレイ２８の前端で周壁３９から外側に液体は簡単に漏れ出してしまう。こうしたキーボード２２は十分な量の液体を保持することができない。
【００２７】
しかも、本発明の実現にあたって、例えば従来のノートパソコンで傾斜姿勢を確立するキーボードの前端が持ち上げられれば足りる。こうしてトレイ２８の底板３７および支持板４１の底板４２の間には所定の隙間が形成される。したがって、液体の流路用に新たにスペースが確保される必要はない。しかも、底板３７および底板４２の間に規定されるすべての空間が液体の流路として利用される。その結果、底板３７および底板４２の間の空間は、キーボード２２の排水口３８から底板４２上に流れ落ちる十分な量の液体を一時的に保持することができる。こうしてノートパソコン１１は大量の液体を一時的に溜め込むことができる。
【００２８】
さらに、閉じ状態の確立時、キーボード２２の前端は、ディスプレイ用筐体１５のディスプレイ用開口３３内に形成される空間に収容される。このとき、キーボード２２とＬＣＤパネル３１との干渉は回避される。その結果、ノートパソコン１１は従来のノートパソコンと同一の厚みで形成される。ノートパソコン１１では厚みの増大は回避される。加えて、キーボード２２のトレイ２８は、底板４２に形成されるリブ４５に受け止められる。リブ４５の働きで底板４２には十分な強度が確保される。したがって、底板４２は十分な強度でキーボード２２を支持することができる。
【００２９】
図７は本発明の第２実施形態に係るノートパソコン１１ａの構造を概略的に示す。このノートパソコン１１ａでは、リブ４５は、排水管４７から放射状に延びてもよい。こうしてリブ４５は、底板４２の後端から前端に向かうにつれて排水路４８に近づく。ただし、前述と同様に、後端から前端に向かうにつれてリブ４５の底板４２からの高さは増大する。その他、前述のノートパソコン１１と均等な構成や構造には同一の参照符号が付される。こうしたノートパソコン１１ａでは、底板４２上に流れ落ちた液体はリブ４５の働きで排水路４８に効率的に流れていくことができる。その他、ノートパソコン１１ａによれば、前述と同様の作用効果が実現される。
【００３０】
図８は本発明の第３実施形態にかかるノートパソコン１１ｂの構造を概略的に示す。このノートパソコン１１ｂでは、前後方向に延びるリブ４５は、底板４２の前端に向かうにつれて本体筐体１４の左右方向に幅を増大させる。図９を併せて参照し、各リブ４５は、本体筐体１４の前後方向に延びる中心軸回りに規定される湾曲面５５を規定する。湾曲面５５の側端は傾斜面４４に接続される。リブ４５は湾曲面５５の頂点でトレイ２８の底板３７を受け止める。湾曲面５５と底板３７の底面との間の隙間は湾曲面５５の働きで湾曲面５５の頂点に向かうにつれて狭まる。この隙間に微細な排水溝５６が形成される。排水溝５６は本体筐体１４の前後方向に延びる。その他、前述のノートパソコン１１と均等な構成や構造には同一の参照符号が付される。
【００３１】
こうしたノートパソコン１１ｂでは、図１０に示されるように、微細な排水溝５６の働きで毛細管現象が確立される。傾斜面４４に流れ落ちた液体５７は排水溝５６に向かって引き寄せられる。液体５７の表面張力は制御される。こうして液体５７は排水溝５６に沿って例えば排水路４８に向かって導かれる。底板４２の傾斜面４４では例えば島状に孤立する液体５７の残存は回避される。その結果、例えばキーボード２２から傾斜面４４に流れ落ちる液体は確実にノートパソコン１１ｂの外側に排出される。しかも、リブ４５は湾曲面５５でキーボード２２を支持することから、底板３７の傷付きや底板３７への局所的な応力の作用は回避される。
【００３２】
なお、毛細管現象によれば、傾斜面４４の傾斜にも拘わらず、液体５７は底板４２の後端に向かって傾斜面４４を登っていくこと場合が想定される。したがって、底板４２の後端に、前述の排水路４８とは別に、本体筐体１４の底面に向かって延びる排水路（図示されず）が形成されてもよい。その他、底板４２の後端から底板４２の前端の排水路４８まで延びる迂回路（図示されず）が形成されてもよい。こうした迂回路によれば、底板４２の後端まで登っていく液体５７は排水路４８まで導かれる。迂回路は例えば底板４２の輪郭に沿って形成されればよい。
【００３３】
以上のようなノートパソコン１１〜１１ｂでは、図１１に示されるように、傾斜面４４やリブ４５の表面にはフッ素コート膜５８が形成されてもよい。フッ素コート膜５８には例えばフッ素樹脂膜が用いられる。こうしたフッ素コート膜５８の働きで傾斜面４４やリブ４５の表面では、フッ素コート膜５８が形成されない場合に比べて表面張力は著しく低下する。こうしてフッ素コート膜５８に基づき表面張力が制御されれば、傾斜面４４上に流れ落ちる液体は例えば排水路４８に向かって効率的に流れていくことができる。その他、前述と均等な構成や構造には同一の参照符号が付される。なお、傾斜面４４やリブ４５の表面にはフッ素コート膜に代えてその他の撥水表面処理が施されてもよい。
【００３４】
その他、以上の実施形態では本発明に係る電子機器には、前述のノートパソコン１１の他に、例えば携帯情報端末（ＰＤＡ：Personal Digital Assistant）やデスクトップ型パーソナルコンピュータ用のキーボードユニット、レジスターといったその他の電子機器が含まれる。
【符号の説明】
【００３５】
１１  電子機器（ノートブックパーソナルコンピュータ）、１４  筐体（本体筐体）、１５  第２の筐体（ディスプレイ用筐体）、１６  回転軸（水平軸）、１７  表面（表側平坦面）、２２  キーボード、２９  キー、３１  ディスプレイパネル（ＬＣＤパネル）、３３  開口、３５  第１仮想平面、３６  第２仮想平面内、３８  排水口、３９  周壁、４２  底板、４４  傾斜面、４５  リブ、４８  排水路、５６  排水溝。
【図１】
2011034332.tif 000003
【図２】
2011034332.tif 000004
【図３】
2011034332.tif 000005
【図４】
2011034332.tif 000006
【図５】
2011034332.tif 000007
【図６】
2011034332.tif 000008
【図７】
2011034332.tif 000009
【図８】
2011034332.tif 000010
【図９】
2011034332.tif 000011
【図１０】
2011034332.tif 000012
【図１１】
2011034332.tif 000013